(57)【要約】【課題】  鳥類侵入防止装置において、ハト等の鳥類の侵入を確実に防止でき、非常時には張架された多数の線材を一瞬で収納して容易に外へ脱出でき、さらに布団や毛布等を干すことができ、見晴らしも見栄えも良くできること。【解決手段】  鳥類侵入防止装置１は、巻取りシャフトカバー２内の巻取りシャフトとボトムパイプ５間に多数の線材４を約５ｃｍ間隔で張架して、巻取りシャフトの巻取り力に抗してボトムパイプ５を引き降ろして両端を係合部６に係合すれば、開口部全面が約５ｃｍ間隔で張架された線材４で覆われるため、ハト等の鳥類は線材４の間を通過できず、開口部から侵入できない。手すりＫ２に布団・毛布等を干したいときは、ボトムパイプ５の両端を１対の係止部６から外せば、張架されていた線材４が一瞬のうちに巻取りシャフトカバー２内に収納されて、開口部の巻取りシャフトカバー２及びボトムパイプ５から下が全面開放される。【選択図】        図１
2004329212.tif 000002
【特許請求の範囲】
【請求項１】
鳥類が侵入する開口部の上縁または側縁に端から端までに亘って取付けられた巻取りシャフトカバーと、
該巻取りシャフトカバーの中に収容され、巻取り回転可能に支持された巻取りシャフトと、
該巻取りシャフトと略同じ長さの取付部材と、
前記上縁または側縁に対向する前記開口部の下縁または他側縁の両端近傍に設けられた前記取付部材が係合する１対の係合部と、
前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、
前記取付部材を前記巻取りシャフトの巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、
前記取付部材を前記１対の係合部から外すことによって、前記巻取りシャフトの巻取り力によって前記複数の線材が前記取付部材が前記巻取りシャフトカバーに当接するまで巻き取られることを特徴とする鳥類侵入防止装置。
【請求項２】
鳥類が侵入する開口部の上縁または側縁に端から端までに亘って取付けられた巻取りシャフトカバーと、
該巻取りシャフトカバーの中に収容され、巻取り回転可能に支持された巻取りシャフトと、
該巻取りシャフトと略同じ長さの取付部材と、
前記上縁または側縁に対向する前記開口部の下縁または他側縁の両端近傍に設けられた前記取付部材が係合する１対の係合部と、
前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、
前記巻取りシャフトカバーの外側に前記線材ガイド孔周辺に沿って設けられた緩衝材とを具備し、
前記取付部材を前記巻取りシャフトに内蔵されたバネによる巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、
前記取付部材を前記１対の係合部から外すことによって、前記巻取りシャフトの巻取り力によって前記複数の線材が前記取付部材が前記緩衝材に当接するまで巻き取られることを特徴とする鳥類侵入防止装置。
【請求項３】
鳥類が侵入する開口部の上縁または側縁に端から端までに亘って取付けられた巻取りシャフトカバーと、
該巻取りシャフトカバーの中に収容され、巻取り回転可能に支持された巻取りシャフトと、
該巻取りシャフトと略同じ長さの取付部材と、
前記上縁または側縁に対向する前記開口部の下縁または他側縁の両端近傍に設けられた前記取付部材が係合する１対の係合部と、
前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、
前記巻取りシャフトカバーの外側に前記線材ガイド孔周辺に沿って設けられた緩衝材とを具備し、
前記取付部材を前記巻取りシャフトの一端または両端に取付けられたロール板状バネによる巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、
前記取付部材を前記１対の係合部から外すことによって、前記巻取りシャフトの巻取り力によって前記複数の線材が前記取付部材が前記緩衝材に当接するまで巻き取られることを特徴とする鳥類侵入防止装置。
【請求項４】
前記線材は黒色の耐候性材料で被覆されていることを特徴とする請求項１乃至請求項３のいずれか１つに記載の鳥類侵入防止装置。
【請求項５】
前記巻取りシャフトに前記線材を分けて巻き取るための巻取り溝を前記一定間隔ごとに前記線材の本数だけ設け、前記線材ガイド孔の代わりに大き目の貫通孔または前記巻取りシャフトカバーのほぼ全長に亘るスリットを設けたことを特徴とする請求項１乃至請求項４のいずれか１つに記載の鳥類侵入防止装置。
【請求項６】
前記複数の線材の代わりに巻取り可能で耐候性を有するネットを前記巻取りシャフト及び前記取付部材の全長に亘って固定し、前記巻取りシャフトカバーには前記線材ガイド孔の代わりに前記ネットが通過するスリットを設けたことを特徴とする請求項１乃至請求項３のいずれか１つに記載の鳥類侵入防止装置。
【請求項７】
前記巻取りシャフトカバーは前記開口部の上縁に取付けられ、
前記１対の係合部は前記開口部の下縁の両端に設けられ、
前記取付部材を前記１対の係合部に係合させることによって前記複数の線材または前記ネットは略垂直方向に張架され、前記一定間隔は鳥類が翼を拡げた状態で侵入不可能な範囲内としたことを特徴とする請求項１乃至請求項６のいずれか１つに記載の鳥類侵入防止装置。
【請求項８】
前記取付部材にはほぼ中央部に取手を取付け、さらに前記取付部材のほぼ中央部または前記取手にロープ状部材を取付け、該ロープ状部材の下端は前記取付部材が前記緩衝材に当接するまで上がっているときでも楽に人の手の届く高さに達していることを特徴とする請求項７に記載の鳥類侵入防止装置。
【請求項９】
前記巻取りシャフトと前記取付部材の長さを約２メートル以下として、幅の広い開口部は前記巻取りシャフトカバーを連続して前記開口部の上縁に取付けることによって、複数台で前記幅の広い開口部を塞ぐようにし、狭い開口部が残る場合は該開口部の上縁と下縁に設置した支持部材に一方または両方に弾性部材を介して略垂直に張架された複数本の線材によって塞ぐようにしたことを特徴とする請求項７または請求項８に記載の鳥類侵入防止装置。
【請求項１０】
前記線材としては黒色のナイロン樹脂で被覆したステンレス鋼線を用い、前記線材の張架方向は略垂直方向とし、前記巻取りシャフトカバー及び前記取付部材はアルミニウムまたはその合金からなり、前記弾性部材としてはパイプ状とした前記取付部材の中に入れたステンレス製のコイルスプリングを用いて、前記線材を前記コイルスプリングの中を通してカシメ部材にかしめることによって前記線材に張力を付与し、前記線材の間隔は約２ｃｍ〜約１５ｃｍの範囲内としたことを特徴とする請求項１乃至請求項５のいずれか１つまたは請求項７乃至請求項９のいずれか１つに記載の鳥類侵入防止装置。
【請求項１１】
前記線材は前記巻取りシャフトの長手方向に沿った平坦部にねじ止めされる固定板に前記線材の間隔で穿設された貫通孔に通されて隣り合う貫通孔から引き出されて２つの貫通孔から１本の線材の両端が出た状態で前記固定板がねじ止めされることによって前記巻取りシャフトに固定され、
前記線材の両端は前記取付部材の中の隣り合う前記コイルスプリングの中を通してそれぞれ前記カシメ部材にかしめられ、
前記パイプ状とした取付部材の底部に前記線材の間隔ごとに孔を開けて前記コイルスプリングを略垂直方向に支持するスプリング支持部材を取付けたことを特徴とする請求項１０に記載の鳥類侵入防止装置。
【発明の詳細な説明】
【技術分野】
【０００１】
本発明は、アパート・マンション・１戸建ての家屋・事務所等のベランダやバルコニー等、鳥類が侵入すると不都合な開口部に設置して、侵入を防止し糞害等の様々な問題を解決するための鳥類侵入防止装置に関するものである。
【背景技術】
【０００２】
アパート・マンション・１戸建ての家屋・事務所等の建物のベランダ・バルコニー等の開口部には、鳥類特にハトが侵入して巣を作る場合があり、糞で周辺が汚れたり、アパート・マンション等の人が居住する空間の傍では雛の鳴き声が騒音になったりする問題が生ずる。そこで、ハトを始めとする鳥類の侵入を防ぐ必要がある。
【０００３】
従来の鳥類侵入防止装置の例としては、特許文献１に記載の鳥類飛来防止枠がある。この鳥類飛来防止枠は、１対の長尺の取付部材を鳥類飛来を防止したい空間に必要な間隔を開けて設置し、これらの取付部材間に一定間隔をおいてスプリングを介して複数の線材を張架している。前記一定間隔を鳥類が歩行可能な場所では鳥類の体幅寸法より狭く、また鳥類が歩行困難な場所では飛行状態で侵入できなければ良いので両翼を拡げた体幅寸法より狭くすることによって、鳥類の侵入を防止できるとしている。
【０００４】
一方、線材の間隔が狭くなるにしたがって、アパート・マンション等では内部に居住する人間の受ける閉鎖感が問題になるが、前記特許文献１においては、実験の結果、線材の間隔が２ｃｍ以上あれば６０％以上の人が閉鎖感を受けることはなく、５ｃｍ以上あれば９０％以上の人が閉鎖感を受けないということであった。さらに、線材をスプリングを介して１対の取付部材に取付けていることから、非常時にはスプリングの弾性を利用して線材の間を拡げることによって人が外へ脱出するのも容易であるとしている。
【特許文献１】特開平８−３０８４６１号公報
【発明の開示】
【発明が解決しようとする課題】
【０００５】
しかしながら、上記従来技術においては、上下または左右に１対の取付部材が設置されており、これらの取付部材に鳥類が留まることができることから、鳥類は翼を畳んで線材の間を通り抜けられる。そこで、鳥の種類にもよるが糞害等が問題になるのは９０％以上がハト（ドバト）であるから、本発明者もハトについて実験を行ってみた。その結果、翼を畳んだ状態では上記特許文献１の記述と異なり、線材の間隔が１０ｃｍ以上ではハトは通り抜けてしまう。本発明者が実験を重ねた結果、翼を畳んだ状態のハトの侵入を確実に防ぐには、線材の間隔は約５ｃｍ以上には広くできない。
【０００６】
また、スプリングによって付与される線材の張力は、かなりの程度強くないと、ハトもスプリングの弾性を利用して線材の間を拡げることによって内部に侵入してしまう。このように、５ｃｍ以下の間隔でかなり強く張られた線材の間を拡げて人が通り抜けるのは、容易どころか困難である。特に、成人男子ばかりでなく、肥満体形の児童や婦人の増加している現状を考えると、火事等の非常時におけるこれらの人々のこの鳥類飛来防止枠からの脱出を困難にしてしまう。
【０００７】
さらに、ベランダ・バルコニー等にこのような固定式の鳥類飛来防止枠を設置すると、布団や毛布等を干すことができなくなり、鉢植えの植物等の小物を並べることもできず、見晴らしも悪く外部からの見栄えも損なわれて、ベランダ・バルコニーとしての本来の役割を果たさなくなるという問題点があった。
【０００８】
そこで、本発明は、ハト等の鳥類の侵入を確実に防止できるとともに、非常時には張架された複数の線材を一瞬にして収納することによって容易に外へ脱出でき、消防士が突入できる開口部を確保でき、さらに不使用時には複数の線材を収納しておくことによって、布団や毛布等を干すことができ、見晴らしも見栄えも良くできる鳥類侵入防止装置を提供することを課題とするものである。
【課題を解決するための手段】
【０００９】
請求項１の発明にかかる鳥類侵入防止装置は、鳥類が侵入する開口部の上縁または側縁に端から端までに亘って取付けられた巻取りシャフトカバーと、該巻取りシャフトカバーの中に収容され、巻取り回転可能に支持された巻取りシャフトと、該巻取りシャフトと略同じ長さの取付部材と、前記上縁または側縁に対向する前記開口部の下縁または他側縁の両端近傍に設けられた前記取付部材が係合する１対の係合部と、前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、前記取付部材を前記巻取りシャフトの巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、前記取付部材を前記１対の係合部から外すことによって、前記巻取りシャフトの巻取り力によって前記複数の線材が前記取付部材が前記巻取りシャフトカバーに当接するまで巻き取られるものである。
【００１０】
請求項２の発明にかかる鳥類侵入防止装置は、鳥類が侵入する開口部の上縁または側縁に端から端までに亘って取付けられた巻取りシャフトカバーと、該巻取りシャフトカバーの中に収容され、巻取り回転可能に支持された巻取りシャフトと、該巻取りシャフトと略同じ長さの取付部材と、前記上縁または側縁に対向する前記開口部の下縁または他側縁の両端近傍に設けられた前記取付部材が係合する１対の係合部と、前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、前記巻取りシャフトカバーの外側に前記線材ガイド孔周辺に沿って設けられた緩衝材とを具備し、前記取付部材を前記巻取りシャフトに内蔵されたバネによる巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、前記取付部材を前記１対の係合部から外すことによって、前記巻取りシャフトの巻取り力によって前記複数の線材が前記取付部材が前記緩衝材に当接するまで巻き取られるものである。
【００１１】
請求項３の発明にかかる鳥類侵入防止装置は、鳥類が侵入する開口部の上縁または側縁に端から端までに亘って取付けられた巻取りシャフトカバーと、該巻取りシャフトカバーの中に収容され、巻取り回転可能に支持された巻取りシャフトと、該巻取りシャフトと略同じ長さの取付部材と、前記上縁または側縁に対向する前記開口部の下縁または他側縁の両端近傍に設けられた前記取付部材が係合する１対の係合部と、前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、前記巻取りシャフトカバーの外側に前記線材ガイド孔周辺に沿って設けられた緩衝材とを具備し、前記取付部材を前記巻取りシャフトの一端または両端に取付けられたロール板状バネによる巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、前記取付部材を前記１対の係合部から外すことによって、前記巻取りシャフトの巻取り力によって前記複数の線材が前記取付部材が前記緩衝材に当接するまで巻き取られるものである。
【００１２】
請求項４の発明にかかる鳥類侵入防止装置は、請求項１乃至請求項３のいずれか１つの構成において、前記線材は黒色の耐候性材料で被覆されているものである。
【００１３】
請求項５の発明にかかる鳥類侵入防止装置は、請求項１乃至請求項４のいずれか１つの構成において、前記巻取りシャフトに前記線材を分けて巻き取るための巻取り溝を前記一定間隔ごとに前記線材の本数だけ設け、前記線材ガイド孔の代わりに大き目の貫通孔または前記巻取りシャフトカバーのほぼ全長に亘るスリットを設けたものである。
【００１４】
請求項６の発明にかかる鳥類侵入防止装置は、請求項１乃至請求項３のいずれか１つの構成において、前記複数の線材の代わりに巻取り可能で耐候性を有するネットを前記巻取りシャフト及び前記取付部材の全長に亘って固定し、前記巻取りシャフトカバーには前記線材ガイド孔の代わりに前記ネットが通過するスリットを設けたものである。
【００１５】
請求項７の発明にかかる鳥類侵入防止装置は、請求項１乃至請求項６のいずれか１つの構成において、前記巻取りシャフトカバーは前記開口部の上縁に取付けられ、前記１対の係合部は前記開口部の下縁の両端に設けられ、前記取付部材を前記１対の係合部に係合させることによって前記複数の線材または前記ネットは略垂直方向に張架され、前記一定間隔は鳥類が翼を拡げた状態で侵入不可能な範囲内としたものである。
【００１６】
請求項８の発明にかかる鳥類侵入防止装置は、請求項７の構成において、前記取付部材にはほぼ中央部に取手を取付け、さらに前記取付部材のほぼ中央部または前記取手にロープ状部材を取付け、該ロープ状部材の下端は前記取付部材が前記緩衝材に当接するまで上がっているときでも楽に人の手の届く高さに達しているものである。
【００１７】
請求項９の発明にかかる鳥類侵入防止装置は、請求項７または請求項８の構成において、前記巻取りシャフトと前記取付部材の長さを約２メートル以下として、幅の広い開口部は前記巻取りシャフトカバーを連続して前記開口部の上縁に取付けることによって複数台で前記幅の広い開口部を塞ぐようにし、狭い開口部が残る場合は該開口部の上縁と下縁に設置した支持部材に一方または両方に弾性部材を介して略垂直に張架された複数本の線材によって塞ぐようにしたものである。
【００１８】
請求項１０の発明にかかる鳥類侵入防止装置は、請求項１乃至請求項５のいずれか１つまたは請求項７乃至請求項９のいずれか１つの構成において、前記線材としては黒色のナイロン樹脂で被覆したステンレス鋼線を用い、前記線材の張架方向は略垂直方向とし、前記巻取りシャフトカバー及び前記取付部材はアルミニウムまたはその合金からなり、前記弾性部材としてはパイプ状とした前記取付部材の中に入れたステンレス製のコイルスプリングを用いて、前記線材を前記コイルスプリングの中を通してカシメ部材にかしめることによって前記線材に張力を付与し、前記線材の間隔は約２ｃｍ〜約１５ｃｍ、好ましくは約２ｃｍ〜５ｃｍの範囲内としたものである。
【００１９】
請求項１１の発明にかかる鳥類侵入防止装置は、請求項１０の構成において、前記線材は前記巻取りシャフトの長手方向に沿った平坦部にねじ止めされる固定板に前記線材の間隔で穿設された貫通孔に通されて隣り合う貫通孔から引き出されて２つの貫通孔から１本の線材の両端が出た状態で前記固定板がねじ止めされることによって前記巻取りシャフトに固定され、前記線材の両端は前記取付部材の中の隣り合う前記コイルスプリングの中を通してそれぞれ前記カシメ部材にかしめられ、前記パイプ状とした取付部材の底部に前記線材の間隔ごとに孔を開けて前記コイルスプリングを略垂直方向に支持するスプリング支持部材を取付けたものである。
【発明の効果】
【００２０】
請求項１の発明にかかる鳥類侵入防止装置は、鳥類が侵入する開口部の上縁または側縁に端から端までに亘って取付けられた巻取りシャフトカバーと、該巻取りシャフトカバーの中に収容され、巻取り回転可能に支持された巻取りシャフトと、該巻取りシャフトと略同じ長さの取付部材と、前記上縁または側縁に対向する前記開口部の下縁または他側縁の両端近傍に設けられた前記取付部材が係合する１対の係合部と、前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、前記取付部材を前記巻取りシャフトの巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、前記取付部材を前記１対の係合部から外すことによって、前記巻取りシャフトの巻取り力によって前記複数の線材が前記取付部材が前記巻取りシャフトカバーに当接するまで巻き取られるものである。
【００２１】
このように、本発明の鳥類侵入防止装置は、巻取りシャフトの巻取り力によって巻取りシャフトに巻き取られた複数の線材を、取付部材を引張ることによって巻取り力に抗して巻取りシャフトカバーから引き出して、対向する縁の両端に設けられた１対の係合部に取付部材を係合させることによって、開口部全面に複数の線材を張架して鳥類の侵入を防止するものである。したがって、確実に鳥類の侵入を防止できるとともに、取付部材を１対の係合部から外すことによって、直ちに複数の線材が巻き取られて取付部材が巻取りシャフトカバーに当接する。これによって、一瞬のうちに開口部全面が開放されるので、火事等の非常時にはどんな体格の人でも容易に脱出することができる。
【００２２】
また、線材の間隔を閉鎖感を受けない範囲内でいくらでも狭くできるので、小型の鳥類の侵入も防止することができる。そして、鳥類侵入防止装置を使用しないときには、複数の線材は巻取りシャフトに巻き取られて巻取りシャフトカバー内に収納されているので見晴らしも見栄えも良く、布団等を干すこともできる。
【００２３】
なお、開口部がベランダ・バルコニーであるときには、ベランダ等の天井の外縁から隣家との区切りそして手すりで囲まれた空間に複数の線材を張架して、鳥類の侵入を防ぐことになる。ここで、手すりが全部コンクリートの場合は問題ないが、一部または全部が鉄製の柵となっている場合も多い。このようなときには、鉄製の柵の格子の間に固定式の線材を１本または数本張架して、隙間を鳥類が通過できない幅とすれば良い。
【００２４】
このようにして、ハト等の鳥類の侵入を確実に防止できるとともに、非常時には張架された複数の線材を一瞬にして収納することによって容易に外へ脱出でき、消防士が突入できる開口部を確保でき、さらに不使用時には複数の線材を収納しておくことによって、布団や毛布等を干すことができ、見晴らしも見栄えも良くできる鳥類侵入防止装置となる。
【００２５】
請求項２の発明にかかる鳥類侵入防止装置は、鳥類が侵入する開口部の上縁または側縁に端から端までに亘って取付けられた巻取りシャフトカバーと、該巻取りシャフトカバーの中に収容され、巻取り回転可能に支持された巻取りシャフトと、該巻取りシャフトと略同じ長さの取付部材と、前記上縁または側縁に対向する前記開口部の下縁または他側縁の両端近傍に設けられた前記取付部材が係合する１対の係合部と、前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、前記巻取りシャフトカバーの外側に前記線材ガイド孔周辺に沿って設けられた緩衝材とを具備し、前記取付部材を前記巻取りシャフトに内蔵されたバネによる巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、前記取付部材を前記１対の係合部から外すことによって、前記巻取りシャフトの巻取り力によって前記複数の線材が前記取付部材が前記緩衝材に当接するまで巻き取られるものである。
【００２６】
このように、本発明の鳥類侵入防止装置は、巻取りシャフトに内蔵されたバネによる巻取り力によって巻取りシャフトに巻き取られた複数の線材を、取付部材を引張ることによって巻取り力に抗して巻取りシャフトカバーから引き出して、対向する縁の両端に設けられた１対の係合部に取付部材を係合させることによって、開口部全面に複数の線材を張架して鳥類の侵入を防止するものである。したがって、確実に鳥類の侵入を防止できるとともに、取付部材を１対の係合部から外すことによって、直ちに複数の線材が巻き取られて取付部材が緩衝材に当接する。これによって、一瞬のうちに開口部全面が開放されるので、火事等の非常時にはどんな体格の人でも容易に脱出することができる。
【００２７】
また、線材の間隔を閉鎖感を受けない範囲内でいくらでも狭くできるので、小型の鳥類の侵入も防止することができる。そして、鳥類侵入防止装置を使用しないときには、複数の線材は巻取りシャフトに巻き取られて巻取りシャフトカバー内に収納されているので見晴らしも見栄えも良く、布団等を干すこともできる。
【００２８】
このようにして、ハト等の鳥類の侵入を確実に防止できるとともに、非常時には張架された複数の線材を一瞬にして収納することによって容易に外へ脱出でき、消防士が突入できる開口部を確保でき、さらに不使用時には複数の線材を収納しておくことによって、布団や毛布等を干すことができ、見晴らしも見栄えも良くできる鳥類侵入防止装置となる。
【００２９】
請求項３の発明にかかる鳥類侵入防止装置は、鳥類が侵入する開口部の上縁または側縁に端から端までに亘って取付けられた巻取りシャフトカバーと、該巻取りシャフトカバーの中に収容され、巻取り回転可能に支持された巻取りシャフトと、該巻取りシャフトと略同じ長さの取付部材と、前記上縁または側縁に対向する前記開口部の下縁または他側縁の両端近傍に設けられた前記取付部材が係合する１対の係合部と、前記取付部材が前記巻取りシャフトに近接した状態において、一方の端を一定間隔ごとに前記巻取りシャフトに固定され、前記巻取りシャフトカバーに前記一定間隔ごとに設けられた線材ガイド孔を貫通して、他方の端を前記取付部材に弾性部材を介して両端まで略平行に取付けられた複数の線材と、前記巻取りシャフトカバーの外側に前記線材ガイド孔周辺に沿って設けられた緩衝材とを具備し、前記取付部材を前記巻取りシャフトの一端または両端に取付けられたロール板状バネによる巻取り力に抗して前記複数の線材を引き出しながら前記巻取りシャフトカバーに対向して設けられた前記１対の係合部に前記取付部材の両端を係合させることによって、前記開口部の全面に前記複数の線材が張架され、前記取付部材を前記１対の係合部から外すことによって、前記巻取りシャフトの巻取り力によって前記複数の線材が前記取付部材が前記緩衝材に当接するまで巻き取られるものである。
【００３０】
このように、本発明の鳥類侵入防止装置は、巻取りシャフトの一端または両端に取付けられたロール板状バネによる巻取り力によって巻取りシャフトに巻き取られた複数の線材を、取付部材を引張ることによって巻取り力に抗して巻取りシャフトカバーから引き出して、対向する縁の両端に設けられた１対の係合部に取付部材を係合させることによって、開口部全面に複数の線材を張架して鳥類の侵入を防止するものである。したがって、確実に鳥類の侵入を防止できるとともに、取付部材を１対の係合部から外すことによって、直ちに複数の線材が巻き取られて取付部材が緩衝材に当接する。これによって、一瞬のうちに開口部全面が開放されるので、火事等の非常時にはどんな体格の人でも容易に脱出することができる。
【００３１】
また、線材の間隔を閉鎖感を受けない範囲内でいくらでも狭くできるので、小型の鳥類の侵入も防止することができる。そして、鳥類侵入防止装置を使用しないときには、複数の線材は巻取りシャフトに巻き取られて巻取りシャフトカバー内に収納されているので見晴らしも見栄えも良く、布団等を干すこともできる。
【００３２】
このようにして、ハト等の鳥類の侵入を確実に防止できるとともに、非常時には張架された複数の線材を一瞬にして収納することによって容易に外へ脱出でき、消防士が突入できる開口部を確保でき、さらに不使用時には複数の線材を収納しておくことによって、布団や毛布等を干すことができ、見晴らしも見栄えも良くできる鳥類侵入防止装置となる。
【００３３】
請求項４の発明にかかる鳥類侵入防止装置は、請求項１乃至請求項３のいずれか１つの構成において、前記線材は黒色の耐候性材料で被覆されているものである。
【００３４】
鳥類侵入防止装置は、屋外または屋内でも太陽光の当る場所に設置される場合が殆どである。したがって、太陽光に含まれる紫外線を晴れの日は毎日浴びることになるが、黒色は紫外線に強く殆ど影響を受けないので、耐候性材料例えば黒色の耐候性塗料を塗布被覆したり、黒色のナイロン等の耐候性樹脂で被覆することによって、長年紫外線を浴びてもひびが入ったり剥落したり変色したりすることがない。そして、耐候性材料で被覆することによって、風雨、高低温にも変化することなく設置時の滑らかな外観を長期間に亘って維持することができる。
【００３５】
また、黒色の線材は目立たないので、アパート・マンション等に設置しても景観を殆ど損なうことがなく、内部に居住する人間も殆ど閉鎖感を受けることがない。さらに、ステンレス鋼等の金属製の線材については直接触れると小さなささくれ等があって指先等に怪我をする場合があるが、黒色の材料で被覆することによって怪我をする恐れもなくなる。
【００３６】
このようにして、線材の設置時の滑らかな外観を長期間に亘って維持することができ、景観を殆ど損なうこともなく、内部に居住する人間も殆ど閉鎖感を受けることがなく、怪我をする恐れもない鳥類侵入防止装置となる。
【００３７】
請求項５の発明にかかる鳥類侵入防止装置は、請求項１乃至請求項４のいずれか１つの構成において、前記巻取りシャフトに前記線材を分けて巻き取るための巻取り溝を前記一定間隔ごとに前記線材の本数だけ設け、前記線材ガイド孔の代わりに大き目の貫通孔または前記巻取りシャフトカバーのほぼ全長に亘るスリットを設けたものである。
【００３８】
請求項１乃至請求項３の発明にかかる鳥類侵入防止装置においては、複数の線材が隣接する線材と絡まったりすることなく巻取りシャフトに線材を分けて巻き取るために、巻取りシャフトカバーに線材ガイド孔を設けているが、この加工には結構手間がかかる。そこで、巻取りシャフト自体に線材を分けて巻き取るための巻取り溝を設けることによって、巻取りシャフトカバーには線材を通すための貫通孔またはスリットを設けるだけで良くなり、巻取りシャフトカバーの加工が簡単になる。巻取り溝の断面形状は、Ｖ字形でもＵ字形でも上辺が長い台形でも構わない。
【００３９】
このようにして、巻取りシャフトカバーの加工が簡単になる鳥類侵入防止装置となる。
【００４０】
請求項６の発明にかかる鳥類侵入防止装置は、請求項１乃至請求項３の構成において、前記複数の線材の代わりに巻取り可能で耐候性を有するネットを前記巻取りシャフト及び前記取付部材の全長に亘って固定し、前記巻取りシャフトカバーには前記線材ガイド孔の代わりに前記ネットが通過するスリットを設けたものである。
【００４１】
ここで、巻取り可能で耐候性を有するネットとしては、ナイロン製ネット、ポリエチレン製ネット等がある。
【００４２】
複数の線材を開口部に張架する代わりに、ある程度目の細かいネットを開口部に張ることによっても、鳥類の侵入を確実に防ぐことができる。そして、このネットは巻取り可能な素材からなるため巻取りシャフトによって巻き取られて巻取りシャフトカバー内に収納され、不使用時には開口部に布団等を干すこともできるし、見晴らしも良く外部からの見栄えも損なわない。
【００４３】
このようにして、ハト等の鳥類の侵入を確実に防止できるとともに、非常時には張架されたネットを一瞬にして収納することによって容易に外へ脱出でき、さらに不使用時にはネットを収納しておくことによって、布団や毛布等を干すことができ、見栄えも良くできる鳥類侵入防止装置となる。
【００４４】
請求項７の発明にかかる鳥類侵入防止装置は、請求項１乃至請求項６のいずれか１つの構成において、前記巻取りシャフトカバーは前記開口部の上縁に取付けられ、前記１対の係合部は前記開口部の下縁の両端に設けられ、前記取付部材を前記１対の係合部に係合させることによって前記複数の線材または前記ネットは略垂直方向に張架され、前記一定間隔は鳥類が翼を拡げた状態で侵入不可能な範囲内としたものである。
【００４５】
この発明は主に鳥類を居住空間内に侵入させないことを目的としているが、巻取りシャフトカバーを開口部の側縁に取付け、１対の係合部を開口部の他側縁に取付けて、複数の線材を略水平方向に張架した場合、線材の間隔を約３ｃｍまで縮めても、ハト等の鳥類は翼を拡げたままこの狭い隙間を滑空しながらうまく通り抜けてしまうことを本発明者は知見した。また、複数の線材を略水平方向に略平行に見栄え良く張架するためには、巻取りシャフトカバーの外側にさらにガイド部材が必要になる。
【００４６】
そこで、線材の張架方向を略垂直方向に限定することによって、鳥類が翼を拡げた状態では通り抜けられないようにすると、線材の間隔をもっと拡げることができ、全体として線材の本数も減りさらに製造も容易になって低コスト化することができる。線材の代わりにネットを用いた場合でも、開口部の上から下へ引き出して張架する方が容易である。
【００４７】
このようにして、ハト等の鳥類の侵入を確実に防止できるとともに、線材の本数も減らすことができ製造も容易になって低コスト化できる鳥類侵入防止装置となる。
【００４８】
請求項８の発明にかかる鳥類侵入防止装置は、請求項７の構成において、前記取付部材にはほぼ中央部に取手を取付け、さらに前記取付部材のほぼ中央部または前記取手にロープ状部材を取付け、該ロープ状部材の下端は前記取付部材が前記緩衝材に当接するまで上がっているときでも楽に人の手の届く高さに達しているものである。
【００４９】
巻取りシャフトカバーを開口部の上縁に取付けて、複数の線材またはネットを開口部の上縁で巻き取るようにした場合、開口部の高さによっては巻取りシャフトカバーの下面に取付けられた緩衝材に当接して止まっている取付部材に手が届かず、かぎ棒等で引掛けて取付部材を引張り降ろさなければならない場合がある。
【００５０】
そこで、取付部材のほぼ中央に取手を付け、さらに取付部材のほぼ中央または取手にロープ・紐等のロープ状部材を取付けて、複数の線材またはネットが完全に巻き取られて取付部材が巻取りシャフトカバーの下面まで上がっているときでも、ロープ状部材の下端が楽に手の届く高さにあるようにすれば、このロープ状部材を引張ることによって巻取りシャフトの巻取り力に抗して取付部材とともに複数の線材またはネットを容易に引き降ろして、取付部材の両端を係合部に係合することができる。
【００５１】
また、開口部を開放するときには、取手を持って取付部材の両端を係合部から外し、手を離すことによって巻取りシャフトの巻取り力によって複数の線材またはネットが巻き取られて、取付部材が巻取りシャフトカバーの下面の緩衝材に当接して止まる。このようにして、巻取りシャフトカバーを開口部の上縁に取付けた場合には、取付部材に取手とロープ状部材を取付けることによって、スムーズに複数の線材またはネットを張架し収納することが可能になる。
【００５２】
請求項９の発明にかかる鳥類侵入防止装置は、請求項７または請求項８の構成において、前記巻取りシャフトと前記取付部材の長さを約２メートル以下として、幅の広い開口部は前記巻取りシャフトカバーを連続して前記開口部の上縁に取付けることによって複数台で前記幅の広い開口部を塞ぐようにし、狭い開口部が残る場合は該開口部の上縁と下縁に設置した支持部材に一方または両方に弾性部材を介して略垂直に張架された複数本の線材によって塞ぐようにしたものである。
【００５３】
ベランダやバルコニー等の開口部の幅（水平方向長さ）は建物によって様々であり、５〜６ｍ以上もある幅の広い場合もある。このような場合に、１台の引き降ろし式の鳥類侵入防止装置で開口部全面をカバーしようとすると、巻取りシャフトも取付部材も長尺のものとなり、一人でロープ状部材を引張って取付部材を引き降ろし、両端を係合部に係合させるのは困難な作業となる。
【００５４】
一方、長さが２ｍ以下となると、巻取りシャフトとして市販のロールカーテン・ロールブラインド等の巻取り機構がそのまま応用できるので、鳥類侵入防止装置の製造が容易になる。また、取付部材が２ｍ以下であれば、一人でロープ状部材を引張って取付部材を引き降ろし、両端を係合部に係合させるのも容易である。そこで、巻取りシャフトと取付部材を約２ｍ以下の長さとした鳥類侵入防止装置として、幅の広い開口部は複数台の鳥類侵入防止装置を連続して設置することによってカバーするようにすれば、製造も容易になり取り扱いも容易になる。
【００５５】
例えば、巻取りシャフトと取付部材の長さをそれぞれ約２ｍ、約１．８ｍ、約１．６ｍ、約１．４ｍとした鳥類侵入防止装置を用意しておいて、幅の広い開口部をこれらの長さの組み合わせでぴったりカバーできる場合は連続して設置すれば良いし、どうしても長さが一致しない場合は、開口部の幅よりも短めに鳥類侵入防止装置を設置して、残りの部分は数本の線材を開口部の上縁と下縁に弾性部材を介して固定することによって、開口部全面をカバーするようにすれば良い。
【００５６】
同様に、ベランダ等が外に突き出していて、前面だけでなく両側面も開口部になっている場合には、側面の長さにぴったり合う長さの鳥類侵入防止装置があればそれを側面の天井に取付ければ良いし、長さが一致しない場合は側面開口部の幅よりも短めの鳥類侵入防止装置を設置して、残りの部分は数本の線材を側面開口部の上縁と下縁に弾性部材を介して固定することによって、側面開口部全面をカバーするようにすれば良い。さらに、側面の長さが短い場合には、複数本の線材を側面開口部の上縁と下縁に弾性部材を介して固定することによって、側面開口部全面をカバーすることもできる。
【００５７】
このようにして、短めの既製品を数種類用意してそれらを組み合わせて幅の広い開口部を覆うようにすることによって、ロールカーテン等の巻取り機構をそのまま応用することができて設備投資を大幅に減らすことができ、また１台ごとに受注生産するよりも既製品を取付けることによって低コスト化・短納期化することができ、さらに取り扱いも容易な鳥類侵入防止装置となる。
【００５８】
請求項１０の発明にかかる鳥類侵入防止装置は、請求項１乃至請求項５のいずれか１つまたは請求項７乃至請求項９のいずれか１つの構成において、前記線材としては黒色のナイロン樹脂で被覆したステンレス鋼線を用い、前記線材の張架方向は略垂直方向とし、前記巻取りシャフトカバー及び前記取付部材はアルミニウムまたはその合金からなり、前記弾性部材としてはパイプ状とした前記取付部材の中に入れたステンレス製のコイルスプリングを用いて、前記線材を前記コイルスプリングの中を通してカシメ部材にかしめることによって前記線材に張力を付与し、前記線材の間隔は約２ｃｍ〜約１５ｃｍ、好ましくは約２ｃｍ〜５ｃｍの範囲内としたものである。
【００５９】
このように、丈夫で切れないステンレス鋼線を線材として黒色のナイロン樹脂で被覆したことによって半永久的に用いることができる線材となる。この線材を略垂直方向に張架したことによって、鳥は翼を拡げて滑空しながら線材の間をすり抜けることもできず、また留まるところがないので翼を畳んで通り抜けることもできない。さらに、巻取りシャフトカバー及び取付部材はアルミニウムまたはその合金からなるため、耐候性にも優れ、軽量で加工性も良いので開口部上縁に固定し、またぶら下げる部品の材料として適している。
【００６０】
また、弾性部材としてステンレス製のコイルスプリングを用いたことによって、錆びることもなく強力な弾性を長期間維持でき、その取付け位置を丸パイプまたは角パイプとした取付部材の中として、パイプの上から貫通孔を通して入れたステンレス鋼線をパイプの中に略垂直に入れたコイルスプリングの中を通してカシメ部材にかしめることによって、カシメ部材がコイルスプリングを圧縮し圧縮されたコイルスプリングの反発力によってステンレス鋼線に張力が付与される。
【００６１】
そして、線材の間隔を約２ｃｍ〜１５ｃｍ、好ましくは約２ｃｍ〜５ｃｍの範囲内としたことによって、鳥類が万が一翼を畳んで通り抜けようとした場合でも確実に侵入を阻止することができる。さらには、主に対象としているハトよりも小型の鳥、例えばスズメ等の侵入も防止することができる。
【００６２】
このようにして、線材を半永久的に使うことができ、黒色で目立たないため景観を損なうこともなく、非常時に線材が脱出を妨げることもなく、ハトを始めとする鳥類の侵入を確実に阻止することができる鳥類侵入防止装置となる。
【００６３】
請求項１１の発明にかかる鳥類侵入防止装置は、請求項１０の構成において、前記線材は前記巻取りシャフトの長手方向に沿った平坦部にねじ止めされる固定板に前記線材の間隔で穿設された貫通孔に通されて隣り合う貫通孔から引き出されて２つの貫通孔から１本の線材の両端が出た状態で前記固定板がねじ止めされることによって前記巻取りシャフトに固定され、前記線材の両端は前記取付部材の中の隣り合う前記コイルスプリングの中を通してそれぞれ前記カシメ部材にかしめられ、前記パイプ状とした取付部材の底部に前記線材の間隔ごとに孔を開けて前記コイルスプリングを略垂直方向に支持するスプリング支持部材を取付けたものである。
【００６４】
このように、巻取りシャフトの長手方向に沿った平坦部にねじ止めされる固定板に１本の線材（黒色のナイロン樹脂で被覆したステンレス鋼線）を隣り合う２つの貫通孔から両端を出すことによって固定する構造をとることで、巻取りシャフト側の線材の固定構造が簡単になり、また線材の交換等のメンテナンスの際もその線材の近傍のねじ止めを外すことによって固定板が浮き上って、容易にメンテナンスを行なうことができる。
【００６５】
なお、固定板は線材取り付け部分の全長に亘る１枚の長尺の板でも良いし、２枚以上の短い板を並べて用いても良い。
【００６６】
また、丸パイプまたは角パイプとした取付部材の中のコイルスプリングを支持するスプリング支持部材を設けたことによって、取付部材が引き下げられあるいは巻き取られて上下に動かされて振動しても、コイルスプリングが傾いてしまうことなく略垂直方向に保持されるので、線材に安定して張力を付与することができる。さらに、スプリング支持部材を取付部材から取り外すことによって、コイルスプリングが線材に付与する張力の調整も容易に行うことができる。
【００６７】
このようにして、製造が容易でメンテナンスも行い易い鳥類侵入防止装置となる。
【発明を実施するための最良の形態】
【００６８】
以下、本発明の実施の形態について、図面を参照して説明する。
実施の形態１
【００６９】
まず、本発明の実施の形態１について、図１乃至図４を参照して説明する。図１は本発明の実施の形態１にかかる鳥類侵入防止装置を内側から見たところを示す正面図である。図２は本発明の実施の形態１にかかる鳥類侵入防止装置の内部構造を示す縦断面図である。図３は本発明の実施の形態１にかかる鳥類侵入防止装置の巻取りシャフトカバーの巻取りシャフト支持構造を示す部分分解斜視図である。図４は巻取りシャフトへの線材の取付け構造を示す部分断面図である。
【００７０】
図１に示されるように、本実施の形態１の鳥類侵入防止装置１は、アパート・マンション等のベランダ・バルコニーの開口部からの鳥類、特にハトの侵入を防ぐ目的で設置されたもので、開口部の上縁（天井）Ｋ１，下縁（手すり）Ｋ２，右側縁Ｋ３，左側縁Ｋ４が全てコンクリートの場合を内側から見て示したものである。この鳥類侵入防止装置１は略垂直方向に複数の線材４を張架するために、開口部の上縁Ｋ１のほぼ全長（約２ｍ）に亘って巻取りシャフトを内蔵したアルミニウム製の巻取りシャフトカバー２を取付けている。また、開口部の下縁Ｋ２の両端には、アルミニウムパイプからなる取付部材としてのボトムパイプ５を係合させるためのアルミニウム製の係合部６が設けられている。
【００７１】
巻取りシャフトもボトムパイプ５も長さは約２ｍで、両者の間に複数の線材として黒色のナイロン樹脂で被覆したステンレス鋼線（以下、単に「線材」ともいう。）４を約５ｃｍ間隔で張架して、巻取りシャフトが線材４を巻き取ろうとする巻取り力に抗してボトムパイプ５を引き降ろして両端を係合部６に係合することによって、開口部全面が約５ｃｍ間隔で張架された線材４で覆われるため、ハト等の鳥類は線材４の間を通過することができず、開口部からベランダ・バルコニー内に入ってくることができない。このように、本実施の形態１の鳥類侵入防止装置１は、ハト等の鳥類のベランダ・バルコニー内への侵入を確実に防止することができる。
【００７２】
また、ベランダの手すりＫ２に布団・毛布等を干したいときは、ボトムパイプ５の中央に固定された取手７を持ってボトムパイプ５の両端を１対の係止部６から外して、そのまま取手７を離せば、ボトムパイプ５は巻取りシャフトカバー２内の巻取りシャフトの巻取り力によって線材４が巻き取られるのに伴って上昇し、線材４が全て巻取りシャフトカバー２内に収納されると巻取りシャフトカバー２の底面にボトムパイプ５が当接する。この時アルミニウム部材同士が衝突して大きな音を立てないように、巻取りシャフトカバー２の底面には数箇所に緩衝材としてのボトム当りゴム３が取付けられている。
【００７３】
このようにして、張架されていた線材４が一瞬のうちに巻取りシャフトカバー２内に収納されて、開口部の巻取りシャフトカバー２及びボトムパイプ５から下が全面開放されるので、ベランダの手すりＫ２に布団等を干すこともでき、見晴らしも良くなり、外部からの見栄えも良くなる。
【００７４】
そして、再び線材４を張架して鳥類の侵入を防止しようとするときは、開口部上縁Ｋ１が高くて、図１では線材４が中略されているが、本実施の形態１においては手すりＫ２から巻取りシャフトカバー２までの高さが約２ｍあって、巻取りシャフトカバー２の底面に当接しているボトムパイプ５に手が届かない。そこで、ボトムパイプ５の取手７にロープ状部材としての細いワイヤロープ８を結び付けて、その下端を楽に人の手の届く高さまでぶら下げておくことによって、ワイヤロープ８を引張ってボトムパイプ５を引き降ろし、巻取りシャフトの巻取り力に抗して線材４を張架することができる。
【００７５】
次に、巻取りシャフトカバー２とボトムパイプ５の内部構造について、図２を参照して説明する。図２に示されるように、巻取りシャフトカバー２は、天井板９とこれに嵌め込まれる外部カバー１０，内部カバー１１，及び巻取りシャフトカバー２の両端に固定されて巻取りシャフト１３の両端を支持するブラケット１２から構成されており、これらはアルミニウム板を加工して製造されている。なお、図示されているのは、向う側の端のブラケット１２の上下左右の側壁部分である。巻取りシャフトカバー２は、このブラケット１２の上部側壁と天井板９を開口部上縁（天井）Ｋ１にねじ止めすることによって取付けられる。
【００７６】
天井Ｋ１はコンクリートであるから、まずねじ止め位置にドリルで細い有底孔を開け、この有底孔にプラスティック製の円筒形の樹脂プラグ９ｂをきつく押し込む。そして、ブラケット１２の上部側壁と天井板９に設けられた貫通孔を通して、ビス９ａを樹脂プラグ９ｂの細めのねじ孔に樹脂プラグ９ｂを削りながらねじ込んで行く。これによって、コンクリートにひび割れの生じる恐れのあるアンカーを打ち込まなくても、巻取りシャフトカバー２を天井Ｋ１に強力に固定することができる。同様のねじ止めが手前側のブラケットの上部側壁と天井板９についても行われ、さらに中間部分の数箇所においても天井板９が同様に天井Ｋ１にねじ止めされる。
【００７７】
底面においては、外部カバー１０の端の上に内部カバー１１の端が重ねられており、これら外部カバー１０の端と内部カバー１１の端には約５ｃｍピッチでＵ字形の切り込み１０ａ，１１ａが設けられて、これらのＵ字形の切り込み１０ａ，１１ａが重ねられることによって長円形の線材ガイド孔が形成されている。
【００７８】
この線材ガイド孔を通過した線材４は、内部で巻取りシャフト１３に固定される。固定の仕方は、巻取りシャフト１３の平坦部に長尺方向に沿ってねじ止めされる固定板１４に約５ｃｍピッチで穿設された貫通孔の１つに線材４が通されて、隣接する貫通孔から折り返して表に引き出され、固定板１４をねじ１５でねじ止めするという方法である。即ち、図１において一定間隔（約５ｃｍ）で１本ずつ独立して張架されているように見える線材４は、実際は４ｍ強の長さを有する黒色のナイロン樹脂で被覆したステンレス鋼線を、固定板１４の隣り合う２つの貫通孔を通して中間長さ（約２ｍ）で折り返し、両端をそれぞれ図２に示されるようにボトムパイプ５に取付けられているものである。
【００７９】
ボトムパイプ５はアルミニウム製の丸パイプで、上記ステンレス鋼線（線材）４の一端が上部から貫通してボトムパイプ５の中に入り、弾性部材としてのステンレス製のコイルスプリング（以下、単に「スプリング」ともいう。）４ａの中を通って、スプリング４ａとほぼ同じ外径を有するアルミニウム製のカシメ部材４ｂにかしめられて固定されている。また、ボトムパイプ５の底部には線材４の貫通する位置ごとに（即ち約５ｃｍピッチで）スプリング支持部材取付孔５ｂが設けられており、スプリング４ａの外径とほぼ同じ内径を有する円筒部とスプリング支持部材取付孔５ｂに嵌め込まれる底部からなるアルミニウム製のスプリング支持部材５ａが取付けられている。
【００８０】
前記カシメ部材４ｂもスプリング４ａもこのスプリング支持部材５ａの円筒部内に保持されており、巻取りシャフト１３の巻取り力によって線材４とともに上昇しようとするカシメ部材４ｂがスプリング４ａを圧縮し、これによって生ずるスプリング４ａの反発力が線材４に張力を付与し、スプリング４ａのバネ力を線材４の１本ずつについて調整することによって、複数の線材４を適切な張力で巻取りシャフト１３とボトムパイプ５の間に張架することができる。スプリング支持部材５ａは、ボトムパイプ５が上下する際の振動でスプリング４ａが斜めになったり長手方向に倒れたりしないように、略垂直に支持する役割をしている。また、スプリング支持部材５ａを取り外すことによって、スプリング４ａが線材４に付与する張力の微調整も容易に行うことができる。
【００８１】
このような内部構造を有するボトムパイプ５が巻取りシャフト１３の巻取り力に抗して引き下げられ、手すりＫ２の両端に固定されている１対の係合部６に係合されて、上昇しようとするボトムパイプ５を止めて開口部全面に多数の線材４を張架する。１対の係合部６も、巻取りシャフトカバー２と同様に、コンクリート製の手すりＫ２にドリルで孔を開けて樹脂プラグ６ｂをきつく押し込み、この樹脂プラグ６ｂにビス６ａをねじ込むことによって固定される。図示されているのは、図１で右端に固定されている係合部６である。
【００８２】
次に、巻取りシャフト１３及び巻取りシャフトカバー２のより詳細な構造について、図３を参照して説明する。図３は巻取りシャフトカバー２の一方の端部を巻取りシャフトカバー２とその内部の巻取りシャフト１３を切断して分解した状態を示す部分分解斜視図で、反対側の端部も同様な構造である。
【００８３】
図３に示されるように、巻取りシャフトカバー２の外部カバー１０の端部と内部カバー１１の端部は外部よりの位置で重ねられており、前述したように、それぞれの端部には約５ｃｍピッチでＵ字形の切り込み１０ａ，１１ａが設けられて、これらのＵ字形の切り込み１０ａ，１１ａが重ねられることによって長円形の線材ガイド孔が形成されている。
【００８４】
そして、外部カバー１０の端部と内部カバー１１の端部は、図示しないビスによって所定間隔ごとに外側（内部カバー１１側）から内側（外部カバー１０側）に向けてねじ止めされており、これによって外部カバー１０と内部カバー１１の合体した断面略コの字形の部材は、アルミニウムの弾力性に富んだ部材となって、それぞれの上端を天井板９の下部に設けられた溝に嵌め込むだけで強固に天井板９に固定される。
【００８５】
巻取りシャフト１３は前述の如く長さが約２ｍなので、既存のロールカーテン・ロールブラインド等の巻取り機構をそのまま応用することができる。巻取りシャフト１３への線材４の固定方法は、上述したように、固定板１４によって行う。固定板１４はアルミニウム製の長尺の板で、図４に示されるように、上記長円形の線材ガイド孔の位置に合わせて約５ｃｍピッチで貫通孔を穿設し、１つの貫通孔から入れた線材４を折り返して固定板１４の裏面に沿わせて隣接する貫通孔から引き出し、固定板１４をねじ１５で巻取りシャフト１３の平坦面へ固定する。ここで、巻取りシャフト１３の平坦面の端に突出部１３ａを全長に亘って設けておくことによって、固定板１４がずれることなく線材４の取付けが行い易くなる。
【００８６】
なお、本実施の形態１においては、固定板１４を巻取りシャフト１３の線材４取付け部分の全長に亘る１枚の板としたが、２枚の板とすることもできるし、複数枚の短い固定板を並べて固定することもできる。
【００８７】
巻取りシャフト１３の中には、巻取り力を付与するバネとしてのスプリング１７が図示しない支持部材に支持されて取付けられている。巻取りシャフト１３の巻取り機構は既存のロールカーテン・ロールブラインド等の巻取り機構をそのまま応用したものであり、詳しい説明は省略する。巻取りシャフト１３の両端近傍には、両端の線材４が巻き取られるとき外れないようにカラー１６が固定されている。そして、巻取りシャフト１３の両端には、巻取りシャフト１３をブラケット１２に取付けるための角材１８が突出している。
【００８８】
一方のブラケット１２には、フランジ部２０をねじ止めすることによってブラケット１２の内側に固定されているフランジ部２０と一体の角材受け１９が設けられており、この断面「コ」の字形の角材受け１９には角材１８がほぼぴったり嵌まり込むようになっているが、より万全を期すために割りピン２１が角材受け１９の貫通孔１９ａと角材１８の貫通孔１８ａを通して抜け止めの役割を果たしている。
【００８９】
そして、ブラケット１２は外部カバー１０と内部カバー１１及び天井板９が組み付けられた内側に嵌め込まれて、内部カバー１１に設けられた図示しない雌ねじ孔と外部カバー１０に設けられた雌ねじ孔１０ｂ及びブラケット１２の底板に設けられた雌ねじ孔１２ｂをビス２２で締め付けることによって、外部カバー１０と内部カバー１１に固定される。さらに、図２について前述したように、ビス９ａがブラケット１２の天板に穿設された貫通孔１２ａ及び天井板９の両端に設けられた貫通孔９ｃを通して、巻取りシャフトカバー２の取付け位置の天井Ｋ１にセットされた樹脂プラグ９ｂにねじ込まれて天井Ｋ１に固定される。
【００９０】
なお、両端を１対のブラケット１２とともに天井Ｋ１に固定された天井板９の中間部分には、数個の貫通孔９ｄが穿設されており、これらの貫通孔９ｄの位置においても同様に天井Ｋ１にセットされた樹脂プラグにビスで留められることによって、巻取りシャフトカバー２が確実に取付けられる。そして、メンテナンス等のために巻取りシャフトカバー２を開ける必要があるときには、両端のビス２２及び外部カバー１０と内部カバー１１の重なり部分をねじ止めしている図示しないビスを外すことによって、外部カバー１０と内部カバー１１を天井板９から取り外すことができるので、メンテナンス等を容易に行うことができる。
【００９１】
このようにして、本実施の形態１の鳥類侵入防止装置１は、ハト等の鳥類のベランダ・バルコニー内への侵入を確実に防止することができるとともに、張架されていた線材４を一瞬のうちに巻取りシャフトカバー２内に収納して、ベランダの手すりＫ２に布団等を干すこともでき、見晴らしも外部からの見栄えも良くなり、線材４の交換等のメンテナンスも容易におこなうことができる。
【００９２】
また、線材４はステンレス鋼線を黒色のナイロン樹脂で被覆してなり、黒色は紫外線に強く殆ど影響を受けないため、毎日太陽光線に含まれる紫外線を浴びてもナイロン被覆のひび割れ、剥落、変色等を起こすことがない。さらに、黒色は目立ちにくくアパート・マンションの景観を損ねることがないと同時に、居住者も閉鎖感を殆ど受けない。
【００９３】
また、本実施の形態１の鳥類侵入防止装置１は、アルミニウム製の巻取りシャフトカバー２、ステンレス製のコイルスプリング４ａ、ステンレス鋼線をナイロン樹脂で被覆した線材４、アルミニウム製のボトムパイプ５及び係合部６、と全て雨に濡れても錆びず、高低温にも強い耐候性の部材だけで構成されているので、半永久的に使用することができる。
実施の形態２
【００９４】
次に、本発明の実施の形態２について、図５を参照して説明する。図５は本発明の実施の形態２にかかる鳥類侵入防止装置を複数台、幅の広い開口部に設置した状態を内側から見て示す図である。なお、実施の形態１と同一の部材には同一の符号を付して一部説明を省略する。
【００９５】
図５に示されるように、本実施の形態２においては、ベランダの開口部の幅が広く、約６ｍある。それに対して、実施の形態１の鳥類侵入防止装置１は幅が約２ｍであるから、これを３台並べて設置することによって、丁度ぴったり開口部の右側縁Ｋ３から左側縁Ｋ４までを線材４を張架してカバーすることができる。
【００９６】
具体的には、まず左側の鳥類侵入防止装置１の巻取りシャフトカバー２を左側縁Ｋ４から５ｍｍ以上の隙間を空けて（但し、５ｃｍ以上空けないようにする）、実施の形態１と同様にコンクリートの上縁Ｋ１に樹脂プラグを埋め込んでビスをねじ込むことによって取付ける。続いて、中央の鳥類侵入防止装置１の巻取りシャフトカバー２を既に取り付けた左側の巻取りシャフトカバー２の右端から１０ｍｍ以上の隙間を空けて（但し、５ｃｍ以上空けないようにする）、同様にして取付ける。
【００９７】
さらに、右側の鳥類侵入防止装置１の巻取りシャフトカバー２を既に取り付けた中央の巻取りシャフトカバー２の右端から１０ｍｍ以上の隙間を空けて（但し、５ｃｍ以上空けないようにする）、また、右側縁Ｋ３から５ｍｍ以上の隙間を空けて（但し、５ｃｍ以上空けないようにする）、同様にして取付ける。続いて、３台の巻取りシャフトカバー２の両端の真下近傍に係合部６を開口部下縁（手すり）Ｋ２に、やはり実施の形態１と同様にコンクリートの手すりＫ２に樹脂プラグを埋め込んでビスをねじ込むことによって、合計６個取付ける。
【００９８】
そして、図示されない巻取りシャフトの巻取り力によって線材４が巻き取られて、巻取りシャフトカバー２の底面にボトム当りゴム３を介して密着しているボトムパイプ５を、取手７に結び付けられたワイヤロープ８を引張ることによって巻取りシャフトの巻取り力に抗して引き降ろし、ボトムパイプ５の両端を３本とも係合部６に係合させることによって、図５に示されるように、開口部全面を約５ｃｍ間隔で張架された線材（黒色のナイロン樹脂で被覆したステンレス鋼線）４で覆うことができ、ハト等の鳥類の侵入を確実に防止することができる。
【００９９】
一方、布団・毛布等を手すりＫ２に干したいとき等は、取手７を持ってボトムパイプ５の両端を係合部６から外して手を離せば、巻取りシャフトの巻取り力によって線材４が巻き取られて、ボトムパイプ５が上昇し巻取りシャフトカバー２の底面のボトム当りゴム３に当って止まる。ここで、ボトムパイプ５を３本とも上昇させたときには、手すりＫ２の中間に取付けられた４個の係合部６が邪魔に感じるが、約２ｍずつの間隔があれば４個の係合部６を避けて布団等を干すのに支障はないし、係合部６が景観を損ねることもない。
【０１００】
これを避けるために、約６ｍの長さの鳥類侵入防止装置１と同様の構造の鳥類侵入防止装置を製造しようとすると、受注生産になって納期が掛かるばかりでなく、製造した鳥類侵入防止装置内のスプリングとのバランスに無理が生じる場合があり、動作したとしても搬入、取付け工事が大変でコスト高になってしまう。それよりも、鳥類侵入防止装置の最大長さを約２ｍとしておいて、以下約１．８ｍ、約１．６ｍ、約１．４ｍと短めの既製品を用意しておき、幅が広い開口部の場合はこれらを組み合わせて対処するようにすれば、納期も短く取付け工事もスムーズにでき低コスト化でき、取付け後の取り扱いも容易である。
【０１０１】
例えば、幅が約５ｍの開口部の場合は、２ｍ＋１．６ｍ＋１．４ｍの３台で対処することができる。どうしても寸法が合わない場合については、次の実施の形態３において説明する。
【０１０２】
このようにして、本実施の形態２の鳥類侵入防止装置においては、短めの既製品を数種類用意してそれらを組み合わせて幅の広い開口部を覆うようにすることによって、ロールカーテン等の巻取り機構をそのまま応用することができて設備投資を大幅に減らすことができ、また１台ごとに受注生産するよりも既製品を取付けることによって低コスト化・短納期化することができ、さらに取り扱いも容易になる。
実施の形態３
【０１０３】
次に、本発明の実施の形態３について、図６を参照して説明する。図６（ａ）は本発明の実施の形態３にかかる複合式の鳥類侵入防止装置を外側から見て示す正面図、（ｂ）は固定部分の線材の取付け構造を示す部分拡大図、（ｃ）は開口部への取付け方を示す側面図である。なお、実施の形態１と同一の部材には同一の符号を付して一部説明を省略する。
【０１０４】
まず、本実施の形態３にかかる鳥類侵入防止装置の全体構成について、図６（ａ）を参照して説明する。本実施の形態３におけるベランダの開口部の幅は約４．７ｍであり、既製品の鳥類侵入防止装置の組み合わせではどうしても寸法が一致しない。そこで、約４．７ｍのうち約４ｍは実施の形態１の鳥類侵入防止装置１を２台並べてカバーし、残りの約０．７ｍは固定式の線材４を一定間隔で略垂直方向に張架することによってカバーしている。鳥類侵入防止装置１を並べて取付ける手順は実施の形態２と同様であるので、固定式の線材４の取付け方について説明する。
【０１０５】
図６（ｂ）に示されるように、上下１対の支持部材２６の略水平方向を向いた面には一定間隔をおいて多数の取付け孔２６ｂが穿設されており、上部の支持部材２６の取付け孔２６ｂには弾性部材としてのステンレス製コイルスプリング（以下、単に「スプリング」ともいう。）２７の一端の鉤部分が貫通して取付けられている。スプリング２７の他端は隙間を開けてリング状に捲かれており、黒色のナイロン樹脂で被覆されたステンレス鋼線（線材）４の上端が取付けられている。ここで、線材４の両端は輪２８にされて、抜けないようにアルミニウム製の圧着管２９で圧着固定されており、上端の輪２８はリング状のスプリング２７の他端に前記隙間を通して引掛けることによって取付けられている。
【０１０６】
線材４の下端の輪２８は、これも隙間を開けてリング状に捲かれたステンレス製の接続部材３０の上端に前記隙間を通して引掛けることによって取付けられており、接続部材３０の下端は隙間を開けて大き目にリング状に捲かれていて、下部の支持部材２６の取付け孔２６ｂに通されて取付けられている。このようにして、スプリング２７の引張り力と線材４の長さを適切に調節することによって、適切に強い引張り力で線材４が１対の支持部材２６の間に張架される。なお、スプリング２７の下端や接続部材３０の両端を鉤形にせずリング状に捲いているのは、鉤形であると人の体の一部が鉤の先端に引掛かって怪我をする恐れがあるためである。
【０１０７】
このように約０．７ｍの幅に一定間隔で全ての線材４を取付けると、図６（ｃ）に示されるように、線材４も開口部の周囲の外面と略一致するように張架される。これによって、上下１対の支持部材２６の外縁が略水平方向を向いているために、鳥が足で掴むところがなく留まれる場所がないことから、鳥がこの開口部から侵入しようとするためには、翼を拡げた状態で線材４の間を通過しなければならない。したがって、これを防止するためには線材４の設置間隔（即ち、取付け孔２６ｂの穿設ピッチ）をかなり大きくしても大丈夫である。本実施の形態３においては対象としてハトを想定して、線材４の設置間隔を約１０ｃｍとしている。
【０１０８】
上下１対の断面Ｌ字形のアルミニウム製の支持部材２６は、それぞれ２個ずつの「ネコ」と一般に呼ばれる断面Ｌ字形のアルミニウム製の支持補助部材２５を介して取付けている。開口部の上縁Ｋ１，下縁（手すり）Ｋ２はコンクリート製なので、コンクリートに樹脂プラグを埋め込んで支持補助部材２５の上からビス２５ａをねじ込むことによって固定し、これらの支持補助部材２５に支持部材２６をボルト・ナット２６ａで固定している。このとき、図１（ｃ）に示されるように、断面Ｌ字形の支持部材２６の略水平方向を向いた外面の外縁が開口部の周囲の外面と略一致するように設置される。
【０１０９】
なお、本実施の形態３においては、線材４の上端のみにスプリング２７を取付けているが、線材４の下端に取付けても良いし、両端に取付けても良い。
実施の形態４
【０１１０】
次に、本発明の実施の形態４について、図７を参照して説明する。図７は本発明の実施の形態４にかかるネット式の鳥類侵入防止装置を内側から見て示す正面図である。なお、実施の形態１と同一の部材には同一の符号を付して一部説明を省略する。
【０１１１】
図７に示されるように、本実施の形態４の鳥類侵入防止装置３１は、実施の形態１の鳥類侵入防止装置１における多数の線材４の代わりにネット３２を開口部全面に張架することによって、開口部からの鳥類の侵入を防止するものである。ネット３２は黒色のナイロン樹脂からなるものであって、耐候性も引張り強度も十分で巻取り可能な柔軟性も有している。巻取りシャフトカバー２の内部構造は実施の形態１と同様であって、図３，図４の固定板１４で線材４の代わりにネット３２の先端を挟んでビス１５で巻取りシャフト１３に固定する。また、外部カバー１０と内部カバー１１の底部は重ねずに間隔を空けて、ネット３２が通過可能なスリットを設ける。
【０１１２】
一方、ネット３２の下端はボトムパイプ５の上部に貫通孔を開けて縦紐を通し、単にカシメ材４ｂのような部材に固定して抜け止めをするだけでも良いし、必要に応じて、図２に示されるような張力調整機構を設けても良い。
【０１１３】
そして、巻取りシャフトカバー２を開口部上縁Ｋ１に固定して（側縁Ｋ３，Ｋ４との間は５ｍｍ以上空ける）、ボトムパイプ５に取付けられた取手７に結び付けられた細いワイヤロープ８を引張って、巻取りシャフト１３の巻取り力に抗してボトムパイプ５を引き降ろしてネット３２を巻取りシャフトカバー２から引き出して、ボトムパイプ５の両端を開口部下縁（手すり）Ｋ２に固定された１対の係合部６に係合することによって、図７に示されるように開口部全面にネット３２が張架されてハト等の鳥類の侵入を確実に防止することができる。
【０１１４】
また、手すりＫ２に布団等を干したいときには、取手７を持ってボトムパイプ５の両端を１対の係合部６から外してそのまま手を離せば、巻取りシャフト１３の巻取り力によってネット３２が巻き取られてボトムパイプ５が上昇し、巻取りシャフトカバー２の底面の数箇所に取付けられたボトム当りゴム３に当って止まる。これによって、巻取りシャフトカバー２の底面のボトムパイプ５から下が全面開放されるので、ベランダの手すりＫ２に布団等を干すこともでき、見晴らしも良くなり、外部からの見栄えも良くなる。
【０１１５】
なお、本実施の形態４においても、開口部の高さ即ち上縁Ｋ１から手すりＫ２までの垂直距離は約２ｍであるので、ネット３２の長さも約２ｍとしている。また、開口部の幅即ち両側縁Ｋ３，Ｋ４間の距離も約２ｍであるので、ネット３２の幅も約２ｍとしている。
【０１１６】
このようなネット式の鳥類侵入防止装置３１の場合も、先に述べた線材式の鳥類侵入防止装置１の場合と同じく、最大幅を約２ｍとしておいて、以下例えば約１．８ｍ、約１．６ｍ、約１．４ｍと既製品を用意しておいて、幅の広い開口部の場合はこれらの組み合わせでカバーするようにし、どうしても寸法が合わないときは狭い開口部を残して、そこに実施の形態３で説明したような固定式の線材を張架するようにしても良い。これによって、短納期・低コストで取付けも取り扱いも容易なネット式の鳥類侵入防止装置となる。
【０１１７】
勿論、本発明にかかる鳥類侵入防止装置は、このように長さの決まった数種類の既製品を用意する方式だけでなく、取付け場所に応じてぴったりの幅のオーダーメイドの鳥類侵入防止装置を一々製造することもできる。
【０１１８】
一方、開口部の高さについては、上記各実施の形態においてはいずれも約２ｍとした場合について説明したが、開口部の高さが２ｍより短い場合についても、同じ鳥類侵入防止装置で対応することができる。即ち、巻取りシャフト１３は線材４・ネット３２を最後まで巻き取れるように取付けられているので、例えば開口部の高さが１．５ｍの場合には、約５０ｃｍ巻き取ったところでボトムパイプ５が係合部６に係合することになるが、この時点ではまだ巻取りシャフト１３に十分な巻取り力があり、線材４・ネット３２に十分な張力を付与することができる。
実施の形態５
【０１１９】
次に、本発明の実施の形態５について、図８及び図９を参照して説明する。図８は本発明の実施の形態５にかかる鳥類侵入防止装置の巻取りシャフトカバーの巻取りシャフト支持構造を示す部分分解斜視図である。図９（ａ）は本発明の実施の形態５にかかる鳥類侵入防止装置の取付部材の構造を示す側面図、（ｂ）は本発明の実施の形態５にかかる鳥類侵入防止装置を内側から見たところを示す正面図である。
【０１２０】
図８に示されるように、本実施の形態５にかかる鳥類侵入防止装置４１の巻取りシャフト１３の巻取り力は、巻取りシャフト１３の両端３２（図示省略の反対側も同じ構造）に取付けられたロール板状バネ３６によって付与される。このロール板状バネ３６は、鋼鉄製のブラケット３３に２本のローラ３４，３７に巻き付けられており、これら２本のローラ３４，３７は、それぞれ抜け止め付きシャフト３４ａ，３７ａによってブラケット３３に回転自在に軸支されている。２本のローラ３４，３７には、ロール板状バネ３６をガイドして巻き取るためのフランジ３５，３７（ローラと一体）が設けられており、さらにローラ３４のブラケット３３側にはプラスティック製の歯車３８Ａが一体に回転可能に取付けられている。この歯車３８Ａには、二段に一体でブラケット３３に回転自在に軸支された歯車３８Ｂ，３８Ｃのうち径の大きい歯車３８Ｂが噛み合わされており、径の小さい歯車３８Ｃはさらに径の小さい歯車３８Ｄに噛み合わされている。
【０１２１】
このさらに径の小さい歯車３８Ｄは、プラスティック製の支持具３９によって小さいブラケット４０に取付けられ、小さいブラケット４０はブラケット３３にネジ止めされている。そして、ローラ３７にはロール板状バネ３６が何重にも巻き付けられており、ローラ３７にさらにロール板状バネ３６が巻き付けられる方向に付勢されているが、歯車３８Ａ
と歯車３８Ｂにそれぞれ図示しないストッパが設けられており、これらのストッパが互いに当接することによってローラ３７にさらにロール板状バネ３６が巻き付けられる方向には回転せず、ローラ３７に巻き付けられているロール板状バネ３６の付勢力に抗してローラ３７からロール板状バネ３６を引き出す方向にしか回転できないようになっている。
【０１２２】
また、これらの歯車３８Ａ，３８Ｂ，３８Ｃ，３８Ｄは、複数の線材４がロール板状バネ３６の付勢力に抗して引き出されてローラ３４にロール板状バネ３６が巻き取られ、複数の線材４が開放されて巻取りシャフト１３に巻き取られるときに、ローラ３４からローラ３７にロール板状バネ３６が巻き取られる速度を制御する減速機構を構成している。
【０１２３】
さらに、ローラ３４には１箇所に切欠き３４ｂが設けられており、巻取りシャフト１３の端部３２は内径が略ローラ３４の外径と同じ円筒状になっており、端部３２の内周の１箇所には切欠き３４ｂに嵌合する突起が設けられて、この突起がローラ３４の切欠き３４ｂに嵌合することによってローラ３４と巻取りシャフト１３が一体に回転するように結合される。また、ロール板状バネ３６或いはその周辺機構が故障した場合には、ブラケット３３を巻取りシャフトカバー２から外して、図８に示されるような状態に抜き取れば、容易に修理や部品の交換ができる。
【０１２４】
なお、本実施の形態５においては、巻取りシャフト１３の両端に巻取り力を付与するロール板状バネ３６を取付けた場合について説明したが、巻取りシャフト１３のどちらか一端にのみロール板状バネ３６を取付け、他端は単に巻取りシャフト１３の回転を支持するのみの構造としても良い。両端にロール板状バネ３６を取付けた場合には巻取り力は強くなるが、２つのロール板状バネ３６の巻取り力をほぼ同等に調整する必要がある。一端にのみロール板状バネ３６を取付けた場合には、巻取り力が一方に偏らないようにうまくバランスを取らなければならない。
【０１２５】
次に、本実施の形態５にかかる鳥類侵入防止装置４１の取付部材の構造について、図９を参照して説明する。図９（ａ）に示されるように、本実施の形態５の鳥類侵入防止装置４１においては、アルミニウムパイプからなる取付部材としてのボトムパイプ４５の外側に弾性部材としてのステンレス製のコイルスプリング４４の下端が取付けられている。コイルスプリング４４の上端は隙間を開けてリング状に捲かれており、黒色のナイロン樹脂で被覆されたステンレス鋼線（線材）４の下端が取付けられている。ここで、線材４の下端は輪にされて、抜けないようにアルミニウム製の圧着管４３で圧着固定されている。
【０１２６】
そして、コイルスプリング４４は、図９（ｂ）のように線材４が引き出されてボトムパイプ４５が両端の係合部６に係合したときには人の手の届く位置にくることから、コイルスプリング４４に指等を挟んで怪我をするのを防止するためと見栄えを良くするために、図９（ａ）に示されるように、ボトムパイプ４５の上面に１対のアルミニウム板製のコイルカバー４６を溶接している。これによって、人がボトムパイプ４５の外側に取付けられたコイルスプリング４４に触れることもなく、またコイルスプリング４４が見えることもないので、安全性と意匠性が向上する。
【０１２７】
但し、ボトムパイプ４５が両端の係合部６に係合する部分のみは、コイルカバー４６は設けられていない。
【０１２８】
上記各実施の形態においては、開口部の縁Ｋ１，Ｋ２，Ｋ３，Ｋ４がいずれもコンクリートの場合について説明したが、特に下縁（手すり）Ｋ２は鉄製の柵の上に鉄製の手すりが取付けられている場合も多い。鉄製の柵の間隔がハト等の鳥類が通り抜けられない程度に狭い場合は問題ないが、広い場合は鉄製の柵の間に１本または複数本の線材４を固定式で張架して、鉄製の柵の間からの鳥類の侵入を防止する必要がある。
【０１２９】
また、上記各実施の形態においては、線材４として黒色のナイロン樹脂で被覆したステンレス鋼線を用いているが、黒色のナイロン樹脂の被覆は本発明に必須のものでなく、またステンレス鋼線以外の引張り力に強い金属線に黒色のナイロン樹脂または他の耐候性のある材料を被覆したものでも良い。これによって、中の金属線が錆びるものであっても耐候性のある材料で被覆されているので、錆びることはない。
【０１３０】
さらに、上記各実施の形態においては、巻取りシャフト１３に線材４を分けて巻き取るために、巻取りシャフトカバー２に線材ガイド孔を設けているが、この加工には結構手間がかかる。そこで、巻取りシャフト１３自体に線材４を分けて巻き取るための巻取り溝を設けることによって、巻取りシャフトカバー２には線材４を通すための貫通孔またはスリットを設けるだけで良くなり、巻取りシャフトカバー４の加工が簡単になる。巻取り溝の断面形状は、Ｖ字形でもＵ字形でも上辺が長い台形でも構わない。
【０１３１】
鳥類侵入防止装置のその他の部分の構成、形状、数量、材質、大きさ、線材ピッチ、接続関係等についても、上記各実施の形態に限定されるものではない。
【図面の簡単な説明】
【０１３２】
【図１】図１は本発明の実施の形態１にかかる鳥類侵入防止装置を内側から見たところを示す正面図である。
【図２】図２は本発明の実施の形態１にかかる鳥類侵入防止装置の内部構造を示す縦断面図である。
【図３】図３は本発明の実施の形態１にかかる鳥類侵入防止装置の巻取りシャフトカバーの巻取りシャフト支持構造を示す部分分解斜視図である。
【図４】図４は巻取りシャフトへの線材の取付け構造を示す部分断面図である。
【図５】図５は本発明の実施の形態２にかかる鳥類侵入防止装置を複数台、幅の広い開口部に設置した状態を内側から見て示す図である。
【図６】図６（ａ）は本発明の実施の形態３にかかる複合式の鳥類侵入防止装置を外側から見て示す正面図、（ｂ）は固定部分の線材の取付け構造を示す部分拡大図、（ｃ）は開口部への取付け方を示す側面図である。
【図７】図７は本発明の実施の形態４にかかるネット式の鳥類侵入防止装置を内側から見て示す正面図である。
【図８】図８は本発明の実施の形態５にかかる鳥類侵入防止装置の巻取りシャフトカバーの巻取りシャフト支持構造を示す部分分解斜視図である。
【図９】図９（ａ）は本発明の実施の形態５にかかる鳥類侵入防止装置の取付部材の構造を示す側面図、（ｂ）は本発明の実施の形態５にかかる鳥類侵入防止装置を内側から見たところを示す正面図である。
【符号の説明】
【０１３３】
１，３１，４１  鳥類侵入防止装置
２  巻取りシャフトカバー
３  緩衝材
４  線材
４ａ，４４  弾性部材（コイルスプリング）
４ｂ  カシメ部材
５，４５  取付部材
５ａ  スプリング支持部材
６  係合部
７  取手
８  ロープ状部材
１３  巻取りシャフト
１４  固定板
１４ａ  貫通孔
１７  バネ
２５，２６  支持部材
２７  弾性部材
３２  ネット
３６  ロール板状バネ
Ｋ１  開口部の上縁
Ｋ２  開口部の下縁
Ｋ３，Ｋ４  開口部の側縁
【図１】
2004329212.tif 000003
【図２】
2004329212.tif 000004
【図３】
2004329212.tif 000005
【図４】
2004329212.tif 000006
【図５】
2004329212.tif 000007
【図６】
2004329212.tif 000008
【図７】
2004329212.tif 000009
【図８】
2004329212.tif 000010
【図９】
2004329212.tif 000011